(57)【特許請求の範囲】
【請求項１】
ＬＥＤを光源とするＬＥＤ光源を備えた照明装置であって、
前記ＬＥＤ光源からの出射光の分光スペクトルは、３８０ｎｍ〜４７０ｎｍの波長帯に第１のピーク波長と、５００ｎｍ〜７００ｎｍの波長帯に第２のピーク波長とを有し、
前記第１のピーク波長の半値幅が１６ｎｍ以下であることを特徴とする照明装置。
【請求項２】
前記分光スペクトルは、前記第１のピーク波長と第２のピーク波長との間にボトム波長を有し、前記第１のピーク波長又は第２のピーク波長のうち大きい方のピーク波長に対する前記ボトム波長の相対エネルギー強度の比率が１／１０以下であることを特徴とする請求項１に記載の照明装置。
【請求項３】
前記ＬＥＤ光源から出射された所定の波長光の透過を抑制する波長カットフィルタを更に備え、
前記波長カットフィルタが、前記第１のピーク波長又は第２のピーク波長のうち大きい方のピーク波長に対する前記ボトム波長の相対エネルギー強度の比率を１／１０以下とすることを特徴とする請求項２に記載の照明装置。
【請求項４】
前記分光スペクトルは、第１のピーク波長の相対エネルギー強度が前記第２のピーク波長よりも大きいことを特徴とする請求項１乃至請求項３のいずれか一項に記載の照明装置。
【請求項５】
前記分光スペクトルは、第２のピーク波長の相対エネルギー強度が前記第１のピーク波長よりも大きいことを特徴とする請求項１乃至請求項３のいずれか一項に記載の照明装置。
【請求項６】
前記分光スペクトルは、３８０ｎｍ以下の波長帯で相対エネルギー強度が実質的にゼロであることを特徴とする請求項１乃至請求項５のいずれか一項に記載の照明装置。
【発明の詳細な説明】
【技術分野】
【０００１】
本発明は、昆虫を誘引し難いＬＥＤ光源を有する照明装置に関する。
【背景技術】
【０００２】
一般に、照明器具等の照射光によって昆虫が誘引されて、居住者等に不快感を与えることがある。昆虫を誘引し易い光は、短波長光の中でも紫外線にピーク波長を有するものであることが知られている。ここで、光源からの光の波長と誘虫性との相関関係のデータを図１４に示す（例えば、非特許文献１参照）。同図における「カット波長」とは、フィルタを用いて所定の波長よりも短い波長の光をカットすることをいう。同図には、フィルタが無いときの誘虫性を基準とした昆虫の誘引比率は、光源のカット波長が４１０ｎｍに近付くと急激に低下し、略６００ｎｍ付近で殆どゼロになることが示されている。つまり、紫外線を含む短波長領域をカットすれば、虫の誘引比率を低減することができる。
【０００３】
図１４に示したように、カット波長が３８０ｎｍである場合（ケース１）、可視光領域の光に誘引される昆虫が存在するので、誘虫性は十分に低いとはいえない。また、カット波長が４５０ｎｍである場合（ケース２）、誘虫性は改善されるが、可視光領域の４５０ｎｍ付近までカットするので、照明光が黄色く見え、一般の照明用光源に用いるには適していない。更に、カット波長が６００ｎｍである場合（ケース３）、ほぼ完全に昆虫を寄せつけなくするが、照射光は赤色に見え、現実的に一般の照明用光源に用いることはできない。
【０００４】
ところで、光源としてＬＥＤを用いた照明装置は、使用されるＬＥＤチップや蛍光体を選択することで出射光における紫外線の放出量を少なくすることができるので、蛍光灯等に比べて、誘虫性を低くすることができる。しかし、ＬＥＤから出射される可視光に誘引される虫も少なからず存在するため、誘虫性が十分に低いとは言えない。
【０００５】
この種の照明装置として、青色光を出射する第１のＬＥＤと黄色蛍光体とを用いた白色ＬＥＤからの光に、５００ｎｍ以上にピーク波長を持つ第２のＬＥＤからの光を付加することにより、誘虫性を低くするものが知られている（例えば、特許文献１参照）。
【先行技術文献】
【非特許文献】
【０００６】
【非特許文献１】松下電工技報Ｖｏｌ．５３Ｎｏ．１
【特許文献】
【０００７】
【特許文献１】特開２００９−２２４１４８号公報
【発明の概要】
【発明が解決しようとする課題】
【０００８】
しかしながら、上記特許文献１に記載の照明装置においては、第２のＬＥＤが５００ｎｍ以上の赤色光にピーク波長を有するものとした場合、視覚特性として赤色を視認できない昆虫が多いことから、赤色光自体による忌避効果は期待できない。また、第２のＬＥＤが黄色光をピーク波長を有するものとした場合、黄色光は夜行性蛾類の行動抑制には効果があるが、それ以外の昆虫の忌避効果は確認されておらず、忌避効果は夜行性蛾類に限られる。
【０００９】
本発明は、上記問題を解決するものであり、ＬＥＤ光源を用いた照明装置において、誘虫性を低くすることができる照明装置を提供することを目的とする。
【課題を解決するための手段】
【００１０】
上記目的を達成するため、本発明は、ＬＥＤを光源とするＬＥＤ光源を備えた照明装置であって、前記ＬＥＤ光源からの出射光の分光スペクトルは、３８０ｎｍ〜４７０ｎｍの波長帯に第１のピーク波長と、５００ｎｍ〜７００ｎｍの波長帯に第２のピーク波長とを有し、前記第１のピーク波長の半値幅が１６ｎｍ以下であることを特徴とする。
【００１１】
この照明装置において、前記分光スペクトルは、前記第１のピーク波長と第２のピーク波長との間にボトム波長を有し、前記第１のピーク波長又は第２のピーク波長のうち大きい方のピーク波長に対する前記ボトム波長の相対エネルギー強度の比率が１／１０以下であることが好ましい。また、上記照明装置において、前記ＬＥＤ光源から出射された所定の波長光の透過を抑制する波長カットフィルタを更に備え、前記波長カットフィルタが、前記第１のピーク波長又は第２のピーク波長のうち大きい方のピーク波長に対する前記ボトム波長の相対エネルギー強度の比率を１／１０以下とすることが好ましい。
【００１２】
この照明装置において、前記分光スペクトルは、第１のピーク波長の相対エネルギー強度が前記第２のピーク波長よりも大きくしてもよい。
【００１３】
この照明装置において、前記分光スペクトルは、第２のピーク波長の相対エネルギー強度が前記第１のピーク波長よりも大きくしてもよい。
【００１４】
この照明装置において、前記分光スペクトルは、３８０ｎｍ以下の波長帯で相対エネルギー強度が実質的にゼロであることが好ましい。
【発明の効果】
【００１５】
本発明によれば、３８０ｎｍ〜４７０ｎｍの波長帯にある第１のピーク波長の半値幅を２０ｎｍ以下にしているので、第１のピーク波長の短波長側にあり、昆虫を誘引し易い紫外光及び近紫外光が、ＬＥＤの出射光に含まれ難くなるので、誘虫性を低くすることができる。
【図面の簡単な説明】
【００１６】
【図１】（ａ）は本発明の第１の実施形態に係る照明装置の構成を示す斜視図、（ｂ）は同照明装置の光出射方向から見た正面図。
【図２】同照明装置に用いられるＬＥＤの側断面図。
【図３】同照明装置からの照射光の分光スペクトル図（実施例１）。
【図４】上記実施形態の別の構成例に係る照明装置からの照射光の分光スペクトル図（実施例２）。
【図５】本発明の第２の実施形態に係る照明装置に用いられるＬＥＤの断面構成図。
【図６】（ａ）は同照明装置に用いられる波長カットフィルタの拡大側面図、（ｂ）は同波長カットフィルタを透過率分布の例を示す図。
【図７】同照明装置からの照射光の分光スペクトル図（実施例３）。
【図８】上記実施形態の別の構成例に係る照明装置からの照射光の分光スペクトル図（実施例４）。
【図９】本発明の第３の実施形態に係る照明装置に用いられるＬＥＤの断面構成図。
【図１０】同照明装置からの照射光の分光スペクトル図（実施例５）。
【図１１】（ａ）は誘虫性を測定するために用いた照明装置の斜視図、（ｂ）は同照明装置の光出射方向から見た正面図。
【図１２】比較例１の照明装置からの照射光の分光スペクトル図。
【図１３】比較例２の照明装置からの照射光の分光スペクトル図。
【図１４】従来の照明装置における光源のカット波長と昆虫の誘引比率との相関を示す図。
【発明を実施するための形態】
【００１７】
本発明の第１の実施形態に係る照明装置について、図１乃至図４を参照して説明する。図１に示すように、照明装置１は、一面に開口を有する筐体２と、この筐体２内に収納されるＬＥＤ光源３と、を備える。ＬＥＤ光源３は、複数のＬＥＤ４と、このＬＥＤ４を実装する基板３１とから成り、筐体２内の開口２１に対向する面に取り付けられている。この照明装置１は取付治具（不図示）により、例えば、天井面に直接取り付けられる照明器具、又は天井壁面に埋め込まれるダウンライトとして使用される。
【００１８】
ＬＥＤ４は、図２に示すように、断面矩形状の基材４０と、基材４０上に実装された発光部（ＬＥＤチップ）４１と、ＬＥＤチップ４１を取り囲む凹部を有する枠体４２と、枠体４２に充填される封止部材４３と、を備える。封止部材４３には、シリコーン樹脂等が用いられ、ＬＥＤチップ４１からの出射光の波長を変換する蛍光体４４が含有される。基材４０の一側面にはカソード電極４５が、他側面にはアノード電極４６がリードフレーム状に夫々設けられ、基材４０の下面両端部に形成された外部接続電極４７，４８に夫々接続される。また、カソード電極４５及びアノード電極４６は、ワイヤ４９によってＬＥＤチップ４１の各電極端子（不図示）に夫々接続される。枠体４２の内周面は、光の導出方向に開口した円錐面として形成されており、円錐面の表面は光反射機能を有する。ＬＥＤチップ４１には、例えば、青色光を出射する青色ＬＥＤ素子が用いられ、蛍光体４４の種類又は含有量を調整することによって、所望の色度の光を出射するＬＥＤ４が得られる。本実施形態においては、ＬＥＤチップ４１は、青紫〜青色（３８０ｎｍ〜４７０ｎｍ）の波長帯域に夫々ピーク波長を有する光を出射し、このピーク波長を第１のピーク波長としている。蛍光体４４は、ＬＥＤチップ４１からの光を波長変換し、５００ｎｍ〜７００ｎｍの波長帯に第２のピーク波長を有する光を照射する。
【００１９】
基板３１は、プリント基板やセラミック基板等が使用され、ＬＥＤ４を実装する面に、ＬＥＤ４のカソード電極４５及びアノード電極４６に外部接続電極４７，４８を介して接続される配線回路（不図示）が設けられている。基板３１の形状は、図示した円盤形状に限らず、例えば、多角形状等であってもよい。
【００２０】
ＬＥＤチップ４１には、ピーク波長を青紫色から青色（３８０ｎｍ〜４７０ｎｍ）の波長帯とする青紫色発光素子が用いられる。この青紫色発光素子には、ＩｎＧａＮ系青色ＬＥＤチップ（例えば、日亜化学社製、豊田合成社製、Ｅｐｉｓｔａｒ社製、三菱化学社製のもの等）等が用いられる。この青紫色発光素子を用いたＬＥＤチップ４１は、蛍光体４４を高効率に励起する。
【００２１】
蛍光体４４には、波長変換材料のうち、特に変換効率に優れたイットリウム・アルミニウム・ガーネットのＹＡＧ系蛍光体や、シリケート系蛍光体等が用いられる。また、波長変換材料の選択、それの封止部材４３への配合比の設定、複数の波長変換材料の混合や組み合わせ等により、波長変換された出射光の分布スペクトルが所定の特性となるように構成される。ここでは、１種類以上の波長変換材料から成る蛍光体４４がＬＥＤチップ４１と組み合わされ、出射光の分布スペクトルが目標のピーク波長とボトム波長を有するように形成される。
【００２２】
蛍光体４４には、ＬＥＤチップ４１からの光の一部を吸収して黄色光を含む長波長側の波長帯の光に変換するための黄色蛍光体を用いる。このとき、ＬＥＤ４は、出射光の分布スペクトルが、４００ｎｍ〜４７０ｎｍの波長帯に第１のピーク波長を、５００ｎｍ〜７００ｎｍの波長帯に第２のピーク波長を有し、第１のピーク波長の半値幅が２０ｎｍ以下となるように構成される。また、本実施形態においては、蛍光体４４の種類や濃度を制御することにより、第１のピーク波長の相対エネルギー強度が第２のピーク波長よりも大きくなるように構成される。蛍光体４４に適宜のものを用いることにより、ＬＥＤチップ４１からの光のピーク波長が青紫から青色の波長帯のどの波長にあっても白色光又は電球色光を出射するＬＥＤ４を得ることができる。
【００２３】
図３は、出射光のピーク波長が青紫から青色の波長帯にあるＬＥＤチップ４１を用い、蛍光体４４としてシリケート系の黄色蛍光体を用いたＬＥＤ４から照射される光の相対的な分光スペクトルを示す。この分光スペクトルは、第１のピーク波長を４００ｎｍ〜４７０ｎｍの波長帯域に、第２のピーク波長を５００ｎｍ〜７００ｎｍの波長帯域に有し、第１のピーク波長の相対エネルギー強度を相対値１とし正規化表示されている。そして、この分光スペクトルは、第１のピーク波長の半値幅が２０ｎｍ以下となるように構成される。一方、第２のピーク波長は、５００ｎｍ〜７００ｎｍの範囲でブロードな波長分布になっている。
【００２４】
本実施形態によれば、４００ｎｍ〜４７０ｎｍの波長帯域にある第１のピーク波長の半値幅が２０ｎｍ以下にしているので、第１のピーク波長の短波長側にあり、昆虫を誘引し易い紫外光及び近紫外光が、ＬＥＤ４の出射光に含まれ難くなり、誘虫性を低くすることができる。また、ＬＥＤ４は、第１のピーク波長の相対エネルギー強度が第２のピーク波長よりも大きくなるように構成されている。つまり、第１のピーク波長の光で励起される１つ以上の蛍光体で、第２のピークの波長付近の光を発光させたとき、これらの混色光の分光スペクトルは低波長側のピークが相対的に高くなるので、色温度が高い白色光を照射する照明装置１を得ることができる。
【００２５】
また、図４は、本実施形態の別の構成例における照明装置の照射光の分光スペクトルを示す。この照明装置においては、ＬＥＤ４は、蛍光体４４として、ＹＡＧ系及びシリケート系の２種の黄色蛍光体を用い、その濃度を上記実施形態より高くしている。他の構成は、上記実施形態と同様である。このとき、ＬＥＤチップ４１から出射された青色光は、蛍光体４４によって高い確率で黄色光に波長変換される。この構成例においては、ＬＥＤ４は、第２のピーク波長の相対エネルギー強度が第１のピーク波長よりも大きくなる。そのため、これら第１及び第２のピーク波長の光の混色光の分光スペクトルは高波長側のピークが相対的に高くなるので、色温度が低い電球色光を照射する照明装置１を得ることができる。また、ここでも第１のピーク波長の半値幅が２０ｎｍ以下にしているので、昆虫を誘引し易い紫外光及び近紫外光が出射光に含まれ難くなり、誘虫性を低くすることができる。
【００２６】
なお、ＬＥＤチップ４１に、紫外線（２００ｎｍ〜３８０ｎｍの波長帯）を出射する紫外線発光素子を用いてもよく、添加される蛍光体の種類や添加量を調整することにより、紫外線を可視光に変換して、上述した分光スペクトルと同様のスペクトルを得ることができる。この場合、紫外線発光素子には、例えば、ＩｎＧａＮ系紫外線ＬＥＤチップ（例えば、日亜化学社製、ソウル電子社製、ナイトライドセミコンダクタ社製等）等が用いられる。
【００２７】
近年、白熱灯や蛍光灯に換えて、ＬＥＤを用いた照明装置が普及している。一般に、照明装置（又は照明器具）には、作業場や書斎用の照明として好まれる白色光タイプと、居間や寝室用の照明として好まれる電球色光タイプとがある。本実施形態の照明装置１は、上述した第１のピーク波長の半値幅を２０ｎｍ以下にすることにより、白色光タイプ及び電球色光タイプの両方のＬＥＤ光源において、誘虫性を低くすることができる。
【００２８】
次に、本発明の第２の実施形態に係る照明装置について、図５乃至図８を参照して説明する。図５に示すように、本実施形態の照明装置に用いられるＬＥＤ４は、封止部材４３の光出射側に、所定の波長光の透過を抑制する波長カットフィルタ５を備えている。この波長カットフィルタ５は、図６（ａ）に示すように、ガラス又はアクリル樹脂等から成る透光性基板５１上に、屈折率が比較的高い透光性材料から成る高屈折率層Ｈと、これより屈折率が低い透光性材料から成る低屈折率層Ｌとを交互に積層させた光学多層膜５２が形成されたものである。この波長カットフィルタ５は、蛍光体４４の種類や配合だけでなく、ＬＥＤ４からの出射光が所望の分光スペクトル特性となるようにするものであり、第１のピーク波長又は第２のピークのうち大きい方のピーク波長に対するボトム波長の相対エネルギー強度の比率を１／１０以下に調整する。
【００２９】
光学多層膜５２は、例えば、ガラスから成る透光性基板５１上に、酸化チタンから成る膜厚４００ｎｍの高屈折率層Ｈと、酸化ケイ素から成る膜厚２４６ｎｍの低屈折率層Ｌとを交互に積層し、最上層に膜厚１００ｎｍの低屈折率層Ｌを重ねた８層構成とされる。光学多層膜５２は、屈折率が異なる層間の界面で光を干渉させ、干渉させる光の波長に応じて各層の膜厚を制御することにより、所定波長の光の透過を選択的に抑制する。光学多層膜５２における誘電体薄膜の組成、膜厚、及び層構成は、例えば薄膜設計ソフトウェアを用いたシミュレーションにより設計され、誘電体薄膜は電子ビーム蒸着法等により作成される。本実施形態においては、上述したように構成された光学多層膜５２を用いることにより、波長カットフィルタ５が、図６（ｂ）に示すように、少なくとも波長４８０ｎｍ〜４９０ｎｍの光の透過を抑制する。
【００３０】
図７は、出射光のピーク波長が青紫色から青色の波長帯にあるＬＥＤチップ４１、及び蛍光体４４にシリケート系の黄色蛍光体を用い、更に上記８層構成の光学多層膜５２を有する波長カットフィルタ５を設けたＬＥＤ４から照射される光の相対的な分光スペクトルを示す。この分光スペクトルは、少なくとも４７０ｎｍ〜５００ｎｍの波長帯において、相対エネルギー強度が低いボトム波長を持ち、第１のピーク波長に対するボトム波長の相対エネルギー強度の比率が１／１０以下とされている。また、この分光スペクトルは、第１のピーク波長を４００ｎｍ〜４７０ｎｍの波長帯域に、第２のピーク波長を６１０ｎｍ〜６３０ｎｍの波長帯域に有する。
【００３１】
本実施形態によれば、出射光の分光スペクトルにおいて、第１と第２のピーク波長の間に、上述したようなボトム波長を有するので、昆虫を誘引し易い可視光領域の光の一部を抑制し、誘虫性をより低くすることができる。また、このボトム波長は、青色波長域と黄色波長域との中間に位置するので、青色光と黄色光との相対エネルギー強度への影響が少なく、それらの混光により得られる白色光の光色にも影響せず、所望の色調を実現することができる。
【００３２】
また、図８は、本実施形態の別の構成例における照明装置の照射光の分光スペクトルを示す。この照明装置は、上記第１の実施形態の別の構成例と同様に、ＬＥＤ４は、蛍光体４４として、ＹＡＧ系及びシリケート系の２種の黄色蛍光体を用い、更に上記８層構成の光学多層膜５２を有する波長カットフィルタ５が設けられている。他の構成は、上記実施形態と同様である。この構成例においては、ＬＥＤ４は、第２のピーク波長の相対エネルギー強度が第１のピーク波長よりも大きくなるように構成されているので、電球色光を照射する照明装置１を得ることができる。また、ここでも第１のピーク波長の半値幅が２０ｎｍ以下にしているので、昆虫を誘引し易い紫外光及び近紫外光が含まれ難くなり、誘虫性を低くすることができる。
【００３３】
つまり、第１及び第２のピーク波長の間のボトム波長を、第１のピーク波長又は第２のピーク波長のうち大きい方のピーク波長に対して、相対エネルギー強度の比率が１／１０以下となるようにすれば、昆虫を誘引し易い可視光領域の光の出射を抑制できる。また、このボトム波長は、第１のピーク波長及び第２のピーク波長のいずれにも影響しないので、第１のピーク波長の相対エネルギー強度が高い白色光タイプ及び第２のピーク波長の相対エネルギー強度が高い電球色光タイプの両方において、夫々の色調に影響することなく、誘虫性をより低くすることができる。
【００３４】
次に、本発明の第３の実施形態に係る照明装置について、図９及び図１０を参照して説明する。本実施形態の照明装置は、図９に示すように、封止部材４３の光出射側に、３８０ｎｍ以下の波長帯の光の透過を抑制する紫外線フィルタ６が設けられている。この紫外線フィルタ６は、透光性樹脂材料６１に、紫外線吸収剤（例えば、チヌビン３２６（チバ社製））等の添加剤６２を添加することで形成される。透光性樹脂材料６１には、例えば、アクリル樹脂（ＰＭＭＡ）やポリカーボネート樹脂（ＰＣ）が用いられる。添加剤６２には、例えば、染料や顔料が用いられてもよいが、紫外線フィルタ６の透光性、色調及び耐久性を鑑みれば、紫外線吸収剤を用いることが好ましい。
【００３５】
図１０は、出射光のピーク波長が紫色の波長帯にあるＬＥＤチップ４１、及び蛍光体４４にシリケート系の黄色蛍光体を用い、更に紫外線フィルタ６を設けたＬＥＤ４から照射される光の相対的な分光スペクトルを示す。この分光スペクトルは、第１のピーク波長が３８０ｎｍ〜４５０ｎｍの波長帯にあり、５００〜７００ｎｍの波長帯にブロードな第２のピーク波長があり、また、波長３８０ｎｍ以下の波長帯の相対エネルギー強度が実質的にゼロである。
【００３６】
本実施形態においては、ＬＥＤチップ４１に、上記第１及び第２の実施形態で用いたチップに比べて、より低波長側にピーク波長を有するチップを用いているので、ＬＥＤチップ４１自体の出射光には、誘虫性の高い３８０ｎｍ以下の波長帯の光が含まれ得る。しかし、この３８０ｎｍ以下の波長帯の光は紫外線フィルタ６によりカットされるので、ＬＥＤ４からは出射される光は、上記波長帯の光を含まず、誘虫性を低くすることができる。
【００３７】
なお、紫外線フィルタ６は、上述した構成に限らず、例えば、ガラス基板上に光学多層膜を積層し、３８０ｎｍ以下の短波長帯側をカットするものであってもよい。また、例えば、ハロゲン化物等を添加した硼珪酸系や、リン酸系等からなる透光性ガラスにより上記光透過特性を得るように構成したものであってもよい。
【００３８】
次に、上述した各種実施形態に基く実施例１〜５と、比較例１、２とを対比して、誘虫性の評価について説明する。実施例１〜５及び比較例１、２における照明装置１は、図１１（ａ）（ｂ）に示すように、水平方向に取り付けられたダウンライト形状とし、ＬＥＤ光源３からの光を筐体２の開口２１から水平方向に照射するように、部屋の中央部のポール１０に取り付けた。ＬＥＤ光源３は、筐体２にその開口２１を塞ぐようにその光照射面側に木製の黒色パネル１１を取付け、この黒色パネル１１に穴を開け、その穴の中から外を照射するようにした。筐体２の開口２１は略５００ｍｍ角のサイズを成し、その黒色パネル１１の上下端側に、幅２００×長さ５００ｍｍのサイズを成す捕虫用の粘着トラップシート１２を夫々取り付けた。ＬＥＤ光源３からの光は上下の粘着トラップシート１２の間の開口２１側からのみ照射されるようにした。ここでは、ＬＥＤ光源３として８個のＬＥＤ４を用いた。なお、照明装置のポール１０への固定は、パナソニック電工製ダウンライト（ＮＮＮ２１６１６形状）の機材を用いて実施した。
【００３９】
（測定方法）
照明装置からの分光スペクトルは、瞬間マルチ測光システム（ＭＣＰＤ３０００：大塚電子社製）を用いて測定し、各ピーク波長及びボトム波長のピーク位置及び相対エネルギー強度及び略ゼロのボトム波長領域を測定した。
【００４０】
（評価方法）
昆虫を誘引する誘虫性評価は、１０ｍ四方の部屋の中に３種類（ハエ、コナガ等）の虫を各４００匹離し、１時間後の捕虫数により評価を行った。ここでは、比較例１における虫の総捕虫数を１００とし、これを基準値として相対比較を行った。
【００４１】
上記条件で測定した評価結果を下記の表１に示す。表１は、縦欄に実施例及び比較例を夫々示す。また、横欄に順に第１のピーク波長、ボトム波長のピーク波長に対する相対エネルギー強度の比率、第１のピーク波長の半値幅、紫外線フィルタの有無、発光色、昆虫の誘虫性、及び色調評価を示す。また、色調評価は、ダウンライト形状の照明装置からの光を白色板に照射し、その色調を目視評価した。この目視評価では、白色系又は電球色系（暖色系）のいずれかの色に見え、大幅な色調が変化ない場合を「○」とし、大幅な色調が変化あり、特に黄みが強い場合を「×」とした。なお、表１において、ＬＥＤチップの出射光のピーク波長に起因するピーク波長を第１のピーク波長とし、第１のピーク波長が波長変換されて、第１のピーク波長より長波長側にできるピーク波長を第２のピーク波長としている。また、表１におけるボトム／ピークの比率は、ボトム波長と第２のピーク波長との各相対エネルギー強度の比率を１０倍した値で表示している。
【００４２】
【表１】
0005906433.tif 000002
【００４３】
（実施例１）
実施例１は、上記第１の実施形態に対応するものであり、ＬＥＤ４は、第１のピーク波長を４４５ｎｍとするＬＥＤチップを、シリケート系の黄色系蛍光体が配合されたシリコーン樹脂で封止することにより、白色光を出射する構成とされている。この照明装置の照射光の分光スペクトルは、図３に示した通りである。この分光スペクトルにおいて、第１のピーク波長の半値幅は１９ｎｍである。実施例１では、誘虫性は７０を示し基準値（１００）以下となり、飛翔昆虫の誘虫性を低くすることができた。また、色調評価においても、黄みが強くなく、大幅な色調変化はなかった。
【００４４】
（実施例２）
実施例２は、上記第１の実施形態の別の構成例に対応するものである。実施例２の照明装置で用いられるＬＥＤ４は、第１のピーク波長を４５０ｎｍとするＬＥＤチップを、ＹＡＧ系及びシリケート系の２種の黄色系蛍光体が配合されたシリコーン樹脂で封止し、電球色光を出射する構成とされている。この照明装置の照射光の分光スペクトルは、図４に示した通りである。この分光スペクトルにおいて、第１のピーク波長の半値幅は１２ｎｍである。実施例２では、誘虫性は５５を示し基準値（１００）以下となり、飛翔昆虫の誘虫性を低くすることができた。また、色調評価においても、黄みが強くなく、大幅な色調変化はなかった。
【００４５】
（実施例３）
実施例３は、上記第２の実施形態に対応するものである。実施例３の照明装置で用いられるＬＥＤ４は、実施例１のＬＥＤ４に、更に光学多層膜５２から成る波長カットフィルタ５が設けられている。この照明装置の照射光の分光スペクトルは、図７に示した通りである。この分光スペクトルにおいて、第１のピーク波長の半値幅は１４ｎｍであり、ボトム波長の第１のピーク波長に対する比率は０．０２である。実施例３では、誘虫性は６２を示し基準値（１００）以下となり、飛翔昆虫の誘虫性を実施例１よりも更に低くすることができた。また、色調評価においても、黄みが強くなく、大幅な色調変化はなかった。
【００４６】
（実施例４）
実施例４は、上記第２の実施形態の別の構成例に対応するものである。実施例４の照明装置で用いられるＬＥＤ４は、実施例２のＬＥＤ４に、更に光学多層膜５２から成る波長カットフィルタ５が設けられている。この照明装置の照射光の分光スペクトルは、図８に示した通りである。この分光スペクトルにおいて、第１のピーク波長の半値幅は１２ｎｍであり、ボトム波長の第１のピーク波長に対する比率は０．０１である。実施例４では、誘虫性は４６を示し基準値（１００）以下となり、飛翔昆虫の誘虫性を実施例２よりも更に低くすることができた。また、色調評価においても、黄みが強くなく、大幅な色調変化はなかった。
【００４７】
（実施例５）
実施例５は、上記第３の実施形態に対応するものである。実施例５の照明装置で用いられるＬＥＤ４は、第１のピーク波長を４１０ｎｍとするＬＥＤチップを、シリケート系の黄色系蛍光体が配合されたシリコーン樹脂で封止することにより、白色光を出射する構成とされ、更に紫外線フィルタ６が設けられている。紫外線フィルタ６は、アクリル樹脂に紫外線吸収剤（チヌビン３２７、チヌビン１０７（チバ社製））を含有し、３８０ｎｍ以下（ここでは３００ｎｍ〜３８０ｎｍ）の波長をカットする構成とした。この照明装置の照射光の分光スペクトルは、図７に示した通りである。この分光スペクトルにおいて、第１のピーク波長の半値幅は１６ｎｍであり、ボトム波長の第１のピーク波長に対する比率は０．０８である。実施例５では、誘虫性は５１を示し基準値（１００）以下となり、飛翔昆虫の誘虫性を実施例１よりも更に低くすることができた。また、色調評価においても、黄みが強くなく、大幅な色調変化はなかった。
【００４８】
（比較例１）
比較例１は、上記実施例１とはＬＥＤチップのピーク波長を変更し、かつ、蛍光体の配合を変更した。この照明装置の照射光の分光スペクトルを、図１２に示す。この分光スペクトル特性は、図１２に示されるように、第１のピーク波長の相対的エネルギー強度が第２のピーク波長よりも高い。また、第１のピーク波長の半値幅が２０ｎｍ以上（本例では３０ｎｍ）であり、第１のピーク波長と第２のピーク波長との間に、第１のピーク波長に対し相対エネルギー強度が１／１０以下となるボトム波長が存在しない。なお、ボトム波長の第１のピーク波長に対する比率は０．２である。ここでは、この場合の昆虫の捕獲数を１００と規定し、これを誘虫性の基準値とし、実施例１，３，５の誘虫性よりも高くなった。
【００４９】
（比較例２）
比較例２は、上記実施例２とはＬＥＤチップのピーク波長を変更し、かつ、蛍光体の配合を変更した。この照明装置の照射光の分光スペクトルを、図１３に示す。この分光スペクトル特性は、図１３に示されるように、第２のピーク波長の相対的エネルギー強度が第１のピーク波長よりも高い。また、第１のピーク波長の半値幅が２０以上（本例では３０）であり、第１のピーク波長と第２のピーク波長との間に、第１のピーク波長に対し相対エネルギー強度が１／１０以下となるボトム波長が存在しない。なお、ボトム波長の第１のピーク波長に対する比率は０．１２である。この比較例２においては、実施例２，４の誘虫性よりも高くなった。
【００５０】
上記評価結果から明らかなように、実施例１〜５において、第１のピーク波長の半値幅が２０ｎｍ以下となっており、これらを用いた評価試験において、誘虫性が基準値（１００）以下となる特性が得られた。また、実施例３〜５においては、第１のピーク波長と第２のピーク波長の間に、第２のピーク波長に対する相対エネルギー強度の比率が１／１０以下となるボトム波長を有し、更に誘虫性が低くなった。
【００５１】
なお、本発明は、上記の実施形態の構成に限られず、発明の要旨を変更しない範囲で種々の変形が可能である。例えば、上記各実施形態のＬＥＤ４において、波長カットフィルタと蛍光体、及び封止部材を一体化してもよい。また、封止部材は、枠体内で充満せずに、キャップ型形状としてＬＥＤチップを覆ってもよく、また、キャップ型以外に砲弾型、半円球状等の形状とし、それ自体に集光レンズ機能を備えるようにしてもよい。また、封止部材は、異なる蛍光体を夫々含む２つ以上の複数の樹脂層で構成し、それら樹脂層を積層してＬＥＤチップを覆うように形成してもよい。また、各実施形態の照明装置はダウンライトに限らず、街路灯等のエクステリア照明器具や、ベースライトの照明器具等にも使用でき、ＬＥＤ光源を使用するものであればよい。
【符号の説明】
【００５２】
１  照明装置
３  ＬＥＤ光源
４  ＬＥＤ
【図１】
0005906433.tif 000003
【図２】
0005906433.tif 000004
【図３】
0005906433.tif 000005
【図４】
0005906433.tif 000006
【図５】
0005906433.tif 000007
【図６】
0005906433.tif 000008
【図７】
0005906433.tif 000009
【図８】
0005906433.tif 000010
【図９】
0005906433.tif 000011
【図１０】
0005906433.tif 000012
【図１１】
0005906433.tif 000013
【図１２】
0005906433.tif 000014
【図１３】
0005906433.tif 000015
【図１４】
0005906433.tif 000016